(57)【要約】  本発明の目的は、既存のエレベータシステムに新たなエレベータコールを追加する際の設置コストを実質的に軽減し、あるいは新たなエレベータシステムの設置の際に要求される機械設備量を軽減するための方法およびエレベータシステム（１）を提供することである。エレベータコールの登録に単一の押しボタン（２）もしくは複数の押しボタン（２）の組み合わせを所定の方法で操作することにより、ユーザ（４）は、単一の押しボタン（２）もしくは複数の押しボタン（２）の組み合わせで複数のエレベータコールを登録することができる。
2010519150.tif 000002
【特許請求の範囲】
【請求項１】
少なくとも一つの入力要素を含むエレベータシステムのコールの登録方法であって、第１のエレベータコールを登録するように前記入力要素を第１の予め設定された方法で操作し、第２のエレベータコールを登録するように前記入力要素を第２の予め設定された方法で操作することを備えたコールの登録方法。
【請求項２】
前記第１の予め設定された方法が、前記第１のエレベータコールを登録するように所定時間未満の間で前記入力要素を操作し、前記第２の予め設定された方法が、前記第２のエレベータコールを登録するように前記所定時間を上回る間、前記入力要素を操作することを含むことを特徴とする請求項１に記載のコールの登録方法。
【請求項３】
前記第１の予め設定された方法が、前記第１のエレベータコールを登録するように第１の所定回数前記入力要素を操作し、前記第２の予め設定された方法が、前記第２のエレベータコールを登録するように第２の所定回数前記入力要素を操作することを含むことを特徴とする請求項１または２に記載のコールの登録方法。
【請求項４】
少なくとも２つの入力要素を含むエレベータシステムのコールの登録方法であって、エレベータコールを登録するように第１の入力要素と、第２の入力要素とを予め設定された方法で操作することを備えたコールの登録方法。
【請求項５】
前記予め設定された方法が、前記エレベータコールを登録するように前記第１の入力要素を操作し、次いで前記第１の入力要素の操作から所定時間内に前記第２の入力要素を操作することを含むことを特徴とする請求項４に記載のコールの登録方法。
【請求項６】
前記予め設定された方法が、前記エレベータコールを登録するように前記第１の入力要素と、前記第２の入力要素と、を同時に操作することを含むことを特徴とする請求項４または５に記載のコールの登録方法。
【請求項７】
前記予め設定された方法が、前記エレベータコールを登録するように前記第１の入力要素と、前記第２の入力要素と、を所定の順序で所定の回数操作することを含むことを特徴とする請求項４〜６に記載のコールの登録方法。
【請求項８】
前記予め設定された方法が、前記第１の入力要素と、前記第２の入力要素と、を所定の順序で操作することを含むことを特徴とする請求項４〜７に記載のコールの登録方法。
【請求項９】
前記所定時間が、１〜１０秒の範囲で設定されることを特徴とする請求項２または５に記載のコールの登録方法。
【請求項１０】
前記所定時間が、１〜３秒の範囲で設定されることを特徴とする請求項９に記載のコールの登録方法。
【請求項１１】
前記少なくとも一つの入力要素が、ユーザにより要求される２つ以上のエレベータコールの表示部となることを特徴とする請求項１〜１０のいずれかに記載のコールの登録方法。
【請求項１２】
前記表示部は、前記エレベータシステムのユーザによって登録される各々のエレベータコールに関して異なる聴覚的指示および視覚的指示のうち少なくとも一つを用いて提供されることを特徴とする請求項１１に記載のコールの登録方法。
【請求項１３】
前記異なる視覚的指示は、常時照明、間欠式もしくは点滅式の照明、回転式等の動的な照明、もしくは異なる着色照明のうち少なくとも一つを含むことを特徴とする請求項１２に記載のコールの登録方法。
【請求項１４】
前記異なる聴覚的指示は、少なくとも異なる発信音または前記聴覚的指示の異なる時間間隔の一方もしくはその両方を含むことを特徴とする請求項１２に記載のコールの登録方法。
【請求項１５】
前記入力要素は、押しボタン、スライド式ボタン、回転式ボタン、タッチセンサ、近接センサ、およびタッチボタンのうちの少なくとも一つであることを特徴とする請求項１〜１４のいずれかに記載のコールの登録方法。
【請求項１６】
前記入力要素が、その周囲にベゼルを含むことを特徴とする請求項１〜１５のいずれかに記載のコールの登録方法。
【請求項１７】
前記ベゼルが、前記登録されたエレベータコールの表示部となることを特徴とする請求項１６に記載のコールの登録方法。
【請求項１８】
少なくとも一つの入力要素を備えるとともに、この入力要素が第１のエレベータコールを登録するように第１の予め設定された方法で操作されることを検知し、かつ前記入力要素が第２のエレベータコールを登録するように第２の予め設定された方法で操作されることを検知する手段をさらに備えたエレベータシステム。
【請求項１９】
前記第１の予め設定された方法で入力要素が操作されることを検知する手段は、所定時間未満の間で前記入力要素が操作されることを検知して前記第１のエレベータコールを登録し、前記第２の予め設定された方法で入力要素が操作されることを検知する手段は、前記所定時間を上回る間、前記入力要素が操作されることを検知して前記第２のエレベータコールを登録することを特徴とする請求項１８に記載のエレベータシステム。
【請求項２０】
前記第１の予め設定された方法で入力要素が操作されることを検知する手段は、第１の所定の回数、前記入力要素が操作されることを検知して前記第１のエレベータコールを登録し、前記第２の予め設定された方法で入力要素が操作されることを検知する手段は、第２の所定の回数、前記入力要素が操作されることを検知して前記第２のエレベータコールを登録することを特徴とする請求項１８または１９に記載のエレベータシステム。
【請求項２１】
少なくとも２つのコール入力要素を備えるとともに、第１の入力要素と、第２の入力要素とがエレベータコールを登録するように予め設定された方法で操作されることを検知する手段をさらに備えたエレベータシステム。
【請求項２２】
前記予め設定された方法で入力要素が操作されることを検知する手段は、前記第１の入力要素が操作されることを検知し、次いで前記第１の入力要素の操作から所定時間内に前記第２の入力要素が操作されることを検知して前記エレベータコールを登録することを特徴とする請求項２１に記載のエレベータシステム。
【請求項２３】
前記予め設定された方法で入力要素が操作されることを検知する手段は、前記第１の入力要素と、前記第２の入力要素とが同時に操作されることを検知して前記エレベータコールを登録することを特徴とする請求項２１または２２に記載のエレベータシステム。
【請求項２４】
前記予め設定された方法で入力要素が操作されることを検知する手段は、前記第１の入力要素と、前記第２の入力要素とが所定の順序で所定の回数操作されることを検知して前記エレベータコールを登録することを特徴とする請求項２１〜２３のいずれかに記載のエレベータシステム。
【請求項２５】
前記予め設定された方法で入力要素が操作されることを検知する手段は、前記第１の入力要素と、前記第２の入力要素とが所定の順序で操作されることを検知することを特徴とする請求項２１〜２４のいずれかに記載のエレベータシステム。
【請求項２６】
前記一つもしくは複数の入力要素が、ユーザにより要求された前記エレベータコールの表示部となることを特徴とする請求項１８〜２５のいずれかに記載のエレベータシステム。
【請求項２７】
複数のエレベータコールを登録するための一つもしくは複数の入力要素を備えるとともに、少なくとも一つの入力要素が、２つ以上の登録されたエレベータコールの表示部を提供することができるように形成されることを特徴とするエレベータシステム。
【請求項２８】
前記表示部は、前記エレベータシステムのユーザによって登録される各々のエレベータコールに関して異なる聴覚的指示および視覚的指示のうち少なくとも一つを用いて提供されることを特徴とする請求項２６または２７に記載のエレベータシステム。
【請求項２９】
前記異なる視覚的指示は、前記一つもしくは複数の入力要素の、常時照明、間欠式もしくは点滅式の照明、回転式等の動的な照明、もしくは異なる着色照明のうち少なくとも一つを含むことを特徴とする請求項２８に記載のエレベータシステム。
【請求項３０】
前記異なる聴覚的指示は、少なくとも異なる発信音または前記聴覚的指示の異なる時間間隔の一方もしくはその両方を含むことを特徴とする請求項２８に記載のエレベータシステム。
【請求項３１】
前記入力要素は、押しボタン、スライド式ボタン、回転式ボタン、タッチセンサ、近接センサ、およびタッチボタンのうちの少なくとも一つであることを特徴とする請求項１８〜３０のいずれかに記載のエレベータシステム。
【請求項３２】
前記入力要素が、その周囲にベゼルを含むことを特徴とする請求項１８〜３１のいずれかに記載のエレベータシステム。
【請求項３３】
前記ベゼルが、ユーザによって登録された前記エレベータコールの表示部となることを特徴とする請求項３２に記載のエレベータシステム。
【請求項３４】
第１のエレベータコールを登録するようにコール入力要素が第１の予め設定された方法で操作されることを検知し、かつ第２のエレベータコールを登録するように前記コール入力要素が第２の予め設定された方法で操作されることを検知する手段を備えたエレベータコールシステム。
【請求項３５】
前記第１の予め設定された方法で入力要素が操作されることを検知する手段は、所定時間未満の間で前記入力要素が操作されることを検知して前記第１のエレベータコールを登録し、前記第２の予め設定された方法で入力要素が操作されることを検知する手段は、前記所定時間を上回る間、前記入力要素が操作されることを検知して前記第２のエレベータコールを登録することを特徴とする請求項３４に記載のエレベータコールシステム。
【請求項３６】
前記第１の予め設定された方法で入力要素が操作されることを検知する手段は、第１の所定の回数、前記入力要素が操作されることを検知して前記第１のエレベータコールを登録し、前記第２の予め設定された方法で入力要素が操作されることを検知する手段は、第２の所定の回数、前記入力要素が操作されることを検知して前記第２のエレベータコールを登録することを特徴とする請求項３４または３５に記載のエレベータコールシステム。
【請求項３７】
少なくとも２つのコール入力要素を備えるとともに、第１の入力要素と、第２の入力要素とがエレベータコールを登録するように予め設定された方法で操作されることを検知する手段をさらに備えたエレベータコールシステム。
【請求項３８】
前記予め設定された方法で入力要素が操作されることを検知する手段は、前記第１の入力要素が操作されることを検知し、次いで前記第１の入力要素の操作から所定時間内に前記第２の入力要素が操作されることを検知して前記エレベータコールを登録することを特徴とする請求項３７に記載のエレベータコールシステム。
【請求項３９】
前記予め設定された方法で入力要素が操作されることを検知する手段は、前記第１の入力要素と、前記第２の入力要素とが同時に操作されることを検知して前記エレベータコールを登録することを特徴とする請求項３７または３８に記載のエレベータコールシステム。
【請求項４０】
前記予め設定された方法で入力要素が操作されることを検知する手段は、前記第１の入力要素と、前記第２の入力要素とが所定の順序で所定の回数操作されることを検知して前記エレベータコールを登録することを特徴とする請求項３７〜３９のいずれかに記載のエレベータコールシステム。
【請求項４１】
前記予め設定された方法で入力要素が操作されることを検知する手段は、前記第１の入力要素と、前記第２の入力要素とが所定の順序で操作されることを検知することを特徴とする請求項３７〜４０のいずれかに記載のエレベータコールシステム。
【請求項４２】
エレベータコールを登録するための一つもしくは複数の入力要素を備えるとともに、前記入力要素は、登録されたエレベータコールに関する特定の表示部を提供するように形成されることを特徴とする請求項３４〜４１に記載のエレベータコールシステム。
【請求項４３】
前記表示部は、前記エレベータシステムのユーザによって登録される各々のエレベータコールに関して異なる聴覚的指示および視覚的指示のうち少なくとも一つを用いて提供されることを特徴とする請求項４２に記載のエレベータコールシステム。
【請求項４４】
前記異なる視覚的指示は、前記一つもしくは複数の入力要素の、常時照明、間欠式もしくは点滅式の照明、回転式等の動的な照明、もしくは異なる着色照明のうち少なくとも一つを含むことを特徴とする請求項４３に記載のエレベータコールシステム。
【請求項４５】
前記異なる聴覚的指示は、少なくとも異なる発信音または前記聴覚的指示の異なる時間間隔の一方もしくはその両方を含むことを特徴とする請求項４３に記載のエレベータコールシステム。
【請求項４６】
前記入力要素は、押しボタン、スライド式ボタン、回転式ボタン、タッチセンサ、近接センサ、およびタッチボタンのうち少なくとも一つであることを特徴とする請求項３４〜４５のいずれかに記載のエレベータコールシステム。
【発明の詳細な説明】
【技術分野】
【０００１】
本発明はエレベータシステムにおけるエレベータコールの登録に関し、特に複数のエレベータコールの登録に関する。
【背景技術】
【０００２】
ユーザがエレベータコールを登録できるようにするための入力手段、一般的に押しボタンもしくはトーチボタンを既存のエレベータシステムが備えることは周知である。一般的に複数のボタンが設けられており、その各々がユーザにより登録可能な異なるエレベータコールに対応している。例えば、ユーザがコールを登録する階よりも上の行き先階にエレベータが移動するようにエレベータコールを登録するためのボタン（すなわち、アップコール）と、ユーザがコールを登録する階よりも下の行き先階にエレベータが移動するようにエレベータコールを登録するための別のボタン（すなわちダウンコール）と、が設けられている。
【発明の概要】
【発明が解決しようとする課題】
【０００３】
従来のエレベータシステムには、例えばＶＩＰコールや、貨物輸送用コールなどを登録することができる更なる種類のエレベータコールがあるが、これらには全て、ユーザが対応するエレベータコールを登録するように操作するための別の関連ボタンが必要となる。
【０００４】
こうしたシステムは場合によっては煩わしいだけでなく、エレベータシステムの設置後に更にエレベータコールを追加する必要がある場合に、ユーザがそのコールを登録できるようにするための新たなボタンをエレベータシステムの各階に設置しなければならないという潜在的な問題が発生する。これには費用も時間も要する。
【課題を解決するための手段】
【０００５】
本発明は先に述べた問題点や欠点を克服もしくは少なくとも軽減するためのエレベータコールシステムを提供する。
【０００６】
本発明の第１の態様では、少なくとも一つの入力要素を含んだエレベータシステムにおけるコールの登録方法を提供し、この方法は、第１のエレベータコールを登録するように入力要素を第１の予め設定された方法で操作し、第２のエレベータコールを登録するように入力要素を第２の予め設定された方法で操作することを備える。
【０００７】
また本発明は、少なくとも一つの入力要素を備えるとともに、この入力要素が第１のエレベータコールを登録するように第１の予め設定された方法で操作されることを検知し、かつ第２のエレベータコールを登録するように第２の予め設定された方法で操作されることを検知する手段をさらに備えたエレベータシステムに及ぶ。
【０００８】
さらに本発明は、第１のエレベータコールを登録するようにコール入力要素が第１の予め設定された方法で操作されることを検知し、かつ第２のエレベータコールを登録するようにコール入力要素が第２の予め設定された方法で操作されることを検知する手段を備えたエレベータコールシステムに及ぶ。
【０００９】
従って本発明では、特定の操作方法に基づいて、異なる複数のコールを登録するために単一の入力要素を利用することができる。
【００１０】
一実施例では、第１の予め設定された方法が、第１のエレベータコールを登録するように所定時間未満の間で入力要素を操作することを含み、第２の予め設定された方法が、第２のエレベータコールを登録するように所定時間を上回る間、入力要素を操作することを含む。
【００１１】
更に実施例では、第１の予め設定された方法が、第１のエレベータコールを登録するように第１の所定回数、入力要素を操作することを含み、第２の予め設定された方法が、第２のエレベータコールを登録するように第２の所定回数、入力要素を操作することを含む。
【００１２】
２つ以上の入力要素を提供してもよく、本発明の更なる態様では、少なくとも２つの入力要素を含むエレベータシステムのコールの登録方法が、エレベータコールを登録するように第１の入力要素と、第２の入力要素とを予め設定された方法で操作するステップを備える。
【００１３】
従って本発明は、少なくとも２つのコール入力要素を備えるとともに、第１の入力要素と、第２の入力要素とがエレベータコールを登録するように予め設定された方法で操作されることを検知する手段をさらに備えたエレベータシステムにも及ぶ。
【００１４】
さらに本発明は、少なくとも２つのコール入力要素を備えるとともに、エレベータコールを登録するように第１の入力要素と、第２の入力要素とが予め設定された方法で操作されることを検知する手段をさらに備えたエレベータコールシステムに及ぶ。
【００１５】
一実施例では、予め設定された方法が、エレベータコールを登録するように第１の入力要素を操作し、次いで第１の入力要素の操作から所定時間内に第２の入力要素を操作することを含む。
【００１６】
予め設定された方法は、エレベータコールを登録するように第１の入力要素と、第２の入力要素と、を同時に操作することを含む。
【００１７】
上述のエレベータコールの登録方法では、所定時間は望ましくは１〜１０秒の範囲であり、例えば１〜３秒の範囲である。
【００１８】
更に実施例では、特定のコールを登録するために第１の入力要素と、第２の入力要素と、を所定の順序で所定の回数操作しうる。
【００１９】
任意の複数の入力要素を提供できるが、好ましい実施例では、ただ２つの入力要素が提供される。
【００２０】
入力要素は、エレベータシステムにおいてユーザがエレベータコールを登録できる任意の入力要素でよい。従って、入力要素は、例えば押しボタン、タッチセンサもしくは近接センサ、スライド式ボタン、もしくは回転式ボタンでもよい。ただし最も望ましくは、入力要素は押しボタンもしくはタッチボタンである。
【００２１】
好ましい実施例では、一つもしくは複数の入力要素が、登録されたエレベータコールの表示部となる。
【００２２】
本質的に新規の構成である更なる態様では、エレベータコールを登録するための一つもしくは複数の入力要素を備えるとともに、少なくとも一つの入力要素が、登録される２つ以上のエレベータコールに関する特定の表示部を提供するように形成されるエレベータシステムを提供する。
【００２３】
望ましくは特定の表示部は、登録される各々のエレベータコールに関する異なる聴覚的指示および異なる視覚的指示のうちの一つもしくはその両方を備える。
【００２４】
例えば、異なる視覚的指示は、異なるエレベータコールに対応する常時照明、間欠式照明、動的照明、もしくは異なる着色照明のうち少なくとも一つを含む。従って一例では、時計回りに回転する光源の点灯が第１のコールを示し、反時計回りに回転する光源の点灯が第２のコールを示す。別の装置では、異なるパターンの光源がコールを示すように点灯する。
【００２５】
上述の視覚的指示の任意の組み合わせがエレベータコールを示すように用いられてもよく、例えば、登録された異なるエレベータコールを示すように入力手段に異なる着色照明、間欠式、もしくは点滅式照明が用いられうる。
【００２６】
例えば、操作ボタン、あるいは実際にはその周囲のベゼルを上述したように点灯させてもよい。従って、本発明のこの態様の解釈上、用語「入力要素」は、その周囲の任意のベゼルも含むことを理解されたい。
【００２７】
聴覚的指示は、異なる音色、音声、もしくは異なる持続時間のうちの一つが考えられる。
【００２８】
従って、上述の本発明は、既存のエレベータシステムに比べて幾つかの利点を有する。特に、入力要素を予め設定した方法で操作することにより複数のエレベータコールが登録される本発明では、複数の異なるエレベータコールを特定の入力要素もしくは複数の入力要素の組み合わせに対応付ける、すなわち、割り当てることができる。
【００２９】
従って、エレベータシステムに新たな種類のエレベータコールを追加する必要がある場合には、エレベータシステムの各階に新たな入力要素を取り付ける必要なしにユーザが新たなエレベータコールを登録することができるように、既存の入力要素を単純に再構成することができる。
【００３０】
さらに、複数の異なるエレベータコールが特定の入力要素もしくは複数の入力要素の組み合わせに対応付けられる、あるいは割り当てられることにより、新しいエレベータシステムを設置する際に要求される入力要素の数もまた実質的に低減できるため、エレベータシステムにおいてユーザに登録されうるあらゆる種類のエレベータコールに対応する別々の入力要素を必要としない。
【００３１】
本発明により登録されるエレベータコールの種類はアップコールおよびダウンコールを含むだけでなく、例えばメンテナンスモード、救助モード、テストモード、ＶＩＰモード、貨物輸送モードなど、エレベータを任意の選択モードにするためのコールを含む。従って用語「コール」は、その状況に応じて解釈されるべきである。
【００３２】
本発明の幾つかの好ましい実施例を、例示のみを目的として以下の図面を参照して説明する。
【図面の簡単な説明】
【００３３】
【図１】エレベータシステムを示す図。
【図２】本発明の第１の実施例のフローチャート。
【図３】本発明の第２の実施例のフローチャート。
【図４】本発明の第３の実施例のフローチャート。
【図５】本発明の第４の実施例のフローチャート。
【図６】本発明の第５の実施例のフローチャート。
【図７】（ａ）は、エレベータコールが登録されていないことを表示する入力要素の図、（ｂ）は、第１のタイプのコールが登録されたことを表示する入力要素の図、（ｃ）は、第２のタイプのコールが登録されたことを表示する入力要素の図。
【発明を実施するための形態】
【００３４】
図１を参照すると、エレベータシステム１が、エレベータ３と、エレベータシステム１のユーザ４がエレベータコールを登録するために押す少なくとも一つのコールボタン２を備える。
【００３５】
望ましくは一つもしくは複数のボタンがエレベータシステムを収容する建物の各階の乗場に配置される。
【００３６】
本発明の第１および第２の実施例では、ユーザ４は複数のエレベータコールのうちの一つを単一のボタン２を用いて登録することができる。
【００３７】
図２に示す第１の実施例では、コントロールシステムは、ユーザ４がボタン２を押したもしくはボタン２に触れた時間が２秒未満であるかどうかをステップ２０２，２０３，２０４において測定し、そうである場合には、例えばダウンコールなどの第１のエレベータコールがステップ２０６で登録される。
【００３８】
一方、ユーザがボタンを放すまでに２秒を超える時間ボタンを押すもしくはボタンに触れた場合、これがステップ２０２で測定され、例えばアップコールなどの第２のエレベータコールがステップ２０５で登録される。
【００３９】
図３に示す本発明の第２の実施例では、ユーザ４は複数のエレベータコールのうちの一つを単一のボタン２を用いて登録することができる。ボタン２を１回押して放すことにより第１のエレベータコールを登録することができ、同じボタン２をさらに多くの回数押すことにより更に複数のコールを登録することができる。ボタン２の操作は所定の時間内に実行されなければならない。例えば図３に示すように、ステップ３０１においてカウンタは最初ゼロに設定されている。ステップ３０２でユーザ４がボタン２を押すと、ステップ３０３でカウンタが１にインクリメントされる。ステップ３０５で同じボタン２を例えば２秒以内にもう一度押すと、カウンタは１だけインクリメントされ、その２秒の時間が経過するまでは同様である。そしてステップ３０６でそのカウンタの値に対応するエレベータコールが登録される。
【００４０】
従って、所定の時間内にユーザ４が同じボタン２を何度も押して放すことにより、異なるエレベータコールをいくつでも登録することができる。
【００４１】
本発明のその他の実施例では、一組の複数のボタンを操作することにより異なるエレベータコールを登録することができる。
【００４２】
例えば、図４に示す第３の実施例では、エレベータコール４０７を操作するために、ユーザ４は第１のボタン４０１を操作し、次いでユーザは、第１のボタンを操作した後にプリセットされた時間内、この実施例では２秒以内に異なる第２のボタン４０３を操作することができる。
【００４３】
この実施例では、異なる別の種類のエレベータコールを登録するために、先に操作したボタン２の操作後の２秒以内に異なるボタン２をいくつでも操作できることが理解できるであろう。例えば図４に示すように、更に別の種類のエレベータコール４０８を登録するために、ユーザ４はステップ４０１で第１のボタンを操作し、次いで第１のボタンを放した２秒以内にステップ４０３で第２の異なるボタンを操作し、次いで第２のボタンを放した２秒以内にステップ４０５で第３のボタン（更に別のボタンでも、第１もしくは第２のボタンと同じボタンでもよい）を操作することができる。
【００４４】
第４の実施例では、エレベータコールを登録するためにユーザ４は単一の２秒以内に第１のボタン２を操作し、次いで異なる第２のボタンを操作することができる。
【００４５】
この実施例では、異なる複数のエレベータコールのうちの一つを登録するために、単一の２秒の時間内に異なるボタン２をいくつでも操作できることが理解できるであろう。例えば図５に示すように、一種類のエレベータコール５０５を登録するためにユーザ４は、ステップ５０１で第１のボタンを操作し、次いで２秒以内にステップ５０３で第２のボタンを操作することができる。
【００４６】
本発明の第５の実施例では、複数のボタンを同時に操作することによりエレベータコールを登録することができる。
【００４７】
例えば図６に示すように、ユーザ４はステップ６０１で第１のボタンと第２のボタンを同時に操作することができる。両方が同時に押された場合、ステップ６０２で決定されるように、１種類のエレベータコールがステップ６０４で登録される。両方が同時に押されない場合には、別のコールがステップ６０３で登録される。
【００４８】
この実施例では異なるボタン２をいくつでも同時に操作できることが理解できるであろう。例えば、別の種類のエレベータコールを登録するためにユーザ４は第１のボタンと、第２のボタンと、第３のボタンとを同時に操作することができる。ユーザ４により同時に操作しうるボタン２の数は、人の手の実際的な制限によって制約される。
【００４９】
また好ましい実施例では、任意の数のボタン２が任意の予め設定された順序で操作されうることが理解できるであろう。
【００５０】
前述の実施例では所定の時間が２秒に設定されているものとして記述されている。しかしながら、当業者にとって理解されるように、所定の時間は例えば１秒、３秒、４秒、５秒、もしくは所望のその他の時間に設定される。最も高い可能性としては、所定の時間は１〜１０秒の範囲の時間に設定され、特に１〜３秒の範囲に設定される。
【００５１】
また前述の実施例における所定の時間周期はボタンを押したもしくは放したときの時間から開始することが理解できるであろう。
【００５２】
ユーザ４によりエレベータコールを登録するように操作される入力要素は、先の実施例では押しボタン２として記載されているが、本発明ではこれに限定されない。入力要素は、例えばスライド式ボタン、回転式ボタン、タッチセンサもしくはタッチボタンなどの任意の適切な入力要素でもよい。２つ以上の入力要素がある実施例においては、各々の入力要素は同じもしくは異なる形状、配置、もしくは構造でもよい。
【００５３】
前述の第１〜第５の実施例における複数のエレベータコールの登録方法は、単独でもしくはそれらを組み合わせて実施することができる。例えば、エレベータシステムのユーザ４は異なる種類のエレベータコールを登録するために（第２の実施例に述べたように）２秒の時間が経過する前に単一のボタン２を二度操作し、次いで（第５の実施例に述べたように）２つの異なるボタンを同時に操作してもよい。
【００５４】
前述の実施例では、例えば押しボタン２などの入力要素は、登録されたエレベータコールの種類をユーザ４に表示するように用いられてもよい。登録されうる各エレベータコールは、例えば各種のエレベータコールを識別させるよう操作したボタンを点灯させることによりユーザ４に表示される。例えばボタン２は、図７ｂに示すように登録された一つのエレベータコールに対しては常に点灯してもよく、あるいは別の種類のエレベータコールに対しては間欠式に点灯すなわち点滅してもよい。
【００５５】
別の構成では、異なる複数のコールを示すようにボタンの選択された部分が選択的に点灯してもよい。図７ｃは、そのために点灯するボタンの離間した円周方向のセクションを示す。
【００５６】
登録されたエレベータコールをユーザに示すその他の方法は、例えば登録されうる各種のエレベータコールに対し、操作されるボタンを異なる色の光源で点灯することを含みうる。その他の可能性として、例えば回転灯など、走行する光源パターンを有することである。単純なパターンでは、時計回りの回転パターンはアップコールを示し、反時計回りのパターンはダウンコールを示す。
【００５７】
当然のことながら、登録されるエレベータコールの種類をユーザ４に示すように、前述の視覚的な表示の任意の組み合わせが用いられうる。例えば、ボタン２に異なる間欠式の、例えば点滅する着色ライトを点灯させることにより、異なるエレベータコールを示すことができる。
【００５８】
また当然のことながら、ボタンすなわち入力要素自体が点灯する必要はなく、点灯は例えば本質的にボタンを取り囲むベゼルなどの関連するコンポーネントでもよい。
【００５９】
また、登録されるエレベータコールの種類をユーザ４に示す方法は視覚手段のみに限定されず、聴覚手段でもよいことが理解できるであろう。例えば、ボタン２は登録されたエレベータコールをユーザ４に発信音の数で示してもよく、あるいは登録された異なる種類のエレベータコールを異なるオーディオ・トーンを用いて示してもよい。
【００６０】
また、登録されるエレベータコールの種類は、聴覚的指示と視覚的指示との両方の組み合わせを用いた入力要素を介してユーザ４に示されることが考えられる。
【００６１】
また理解されるように、エレベータコントロールシステムは、入力要素の操作方法を決定し、かつユーザ４により登録される対応するエレベータコールを決定するために、ソフトウェア、ハードウェア、もしくはソフトウェアとハードウェアとの組み合わせを用いて実行される。
【００６２】
上記の記載から、新たな種類のエレベータコールを追加する際、本発明により既存のエレベータシステムへの例えば押しボタン等の更なる入力手段の設置に関連する据付費や機械設備費を実質的に低減できることが分かる。さらに、ユーザが異なる種類の複数のエレベータコールを登録できるようにするために必要となる入力手段の数が実質的に低減できるため、本発明は新しいエレベータシステムの据付時にも利点がある。
【００６３】
本発明の更なる利点は、ユーザに登録されたエレベータコールの種類を表示する手段としての入力要素の利用である。したがって、登録されたエレベータコールの種類を表示するための更に別のディスプレイやその他の方法が本発明に加えて必要とならないであろう。
【００６４】
本発明を上述の複数の実施例を参照して説明してきたが、本発明の範囲は上述の実施例に限定されるものではなく、以下の特許請求の範囲によって画定される。
【図１】
2010519150.tif 000003
【図２】
2010519150.tif 000004
【図３】
2010519150.tif 000005
【図４】
2010519150.tif 000006
【図５】
2010519150.tif 000007
【図６】
2010519150.tif 000008
【図７】
2010519150.tif 000009
【国際調査報告】
2010519150.tif 000010
2010519150.tif 000011
2010519150.tif 000012